(57)【要約】【課題】医療用薬液袋を横長に収容した際でも、運搬時に各医療用薬液袋が倒れたり移動したりしないように、これらをタイトに収容でき、かつ、収容作業性や収容後の開口部のヒートシール作業性も良好な集積包装袋と、これを用いた集積包装物の提供。【解決手段】複数の医療用薬液袋を横長に収容する収容部１１と、収容部１１の上方に形成された把持部１５とを有する集積包装袋１０であって、収容部１１の側部１２に、医療用薬液袋を入れるための開口部が形成されている。例えば収容部１１の天面１３には、収容された医療用薬液袋を取り出すための開封部１４が形成される。このような集積包装袋１０は、筒状フィルムの一端を開口部とし、他端を閉塞することで製造できる。【選択図】図１
2008050042.tif 000002
【特許請求の範囲】
【請求項１】
複数の略長方形の医療用薬液袋を横長に収容する収容部と、収容部の上方に形成された把持部とを有する集積包装袋であって、
前記収容部の側部に、前記医療用薬液袋を入れるための開口部が形成されたことを特徴とする集積包装袋。
【請求項２】
前記開口部が仮止めされているか、または封止されていることを特徴とする請求項１に記載の集積包装袋。
【請求項３】
筒状フィルムから形成され、該筒状フィルムの一端が前記開口部であり、他端が閉塞されたことを特徴とする請求項１または２に記載の集積包装袋。
【請求項４】
前記収容部の天面には、収容された前記医療用薬液袋を取り出すための開封部が形成されたことを特徴とする請求項１ないし３のいずれかに記載の集積包装袋。
【請求項５】
複数の略長方形の医療用薬液袋を横長に収容する収容部と、該収容部の上方に形成された把持部とを有し、前記収容部の側部に、前記医療用薬液袋を入れるための開口部が形成された集積包装袋の製造方法であって、
筒状フィルムの一部分を長手方向に沿って内側に折り込み、前記収容部の底面を形成する工程と、前記一部分に対向する部分を長手方向に沿って内側に折り込み、前記収容部の天面を形成する工程と、前記筒状フィルムの一端を前記開口部とし、他端を閉塞する工程と、前記収容部の上方に把持部を形成する工程とを有することを特徴とする集積包装袋の製造方法。
【請求項６】
請求項１ないし４のいずれかに記載の集積包装袋内に複数の略長方形の医療用薬液袋が横長に収容され、前記開口部が封止されたことを特徴とする集積包装物。
【請求項７】
請求項１ないし４のいずれかに記載の集積包装袋内に複数の略長方形の医療用薬液袋を横長に収容し、前記開口部を封止することを特徴とする集積包装物の製造方法。
【発明の詳細な説明】
【技術分野】
【０００１】
本発明は、医療用薬液袋を複数収容して持ち運ぶことのできる集積包装袋とその製造方法、該集積包装袋に医療用薬液袋が複数収容された集積包装物とその製造方法に関する。
【背景技術】
【０００２】
点滴用の薬液などを収容する医療用薬液袋（輸液バック）として、図５に示すような縦長（すなわち、上下方向（略鉛直方向）に長い形状）で略長方形のものが知られている。この医療用薬液袋３０は、樹脂フィルムなどからなり、その周縁部３１がヒートシールにより閉じられている。そして、一方の短辺側には薬液の出入り口となるポート部３２が形成され、他方の短辺が底部３３となっている。
このような医療用薬液袋３０は、従来、外袋に１つずつ入れられた個包装の状態で取り扱われていた。しかしながら、最近では取扱いやすさなどの点から、図６に示すように複数並べられ、把持部４２を有する１つの集積包装袋４０に収容されて取り扱われる場合が増えてきている。この際、各医療用薬液袋３０は、通常、底部３３側が下でポート部３２側が上になるような縦長に収容される。
なお、本明細書において、医療用薬液袋が「縦長に収容される」とは、集積包装袋の把持部が上になるように配置された場合において、略長方形の医療用薬液袋が縦長になるように直立して収容されることをいい、医療用薬液袋が「横長に収容される」とは、集積包装袋の把持部が上になるように配置された場合において、略長方形の医療用薬液袋が左右方向（略水平方向）に長くなるように直立して収容されることを言う。「縦長に収容される」、「横長に収容される」のいずれの場合も、集積包装袋の把持部が上になるように配置された場合において、医療用薬液袋が平積み状に収容される状態は含まない。
【０００３】
図６に示す集積包装袋４０は、ポリエチレンなどのフィルムからなるものであって、この集積包装袋４０に、図示のように複数の医療用薬液袋３０を収容する際には、まず、図７に示すように、収容する複数の医療用薬液袋３０を平積み状に積み重ね、ついで、これらを積み重ねた状態のままで矢印で示す略水平方向にスライドさせて、集積包装袋４０の開口部である底部４１から収容し、その後、底部４１をヒートシールして封止する。
こうして医療用薬液袋３０が複数収められた集積包装袋４０は、その把持部４２が上になるように、すなわち、各医療用薬液袋３０は縦長になるようにダンボール箱にさらに収容され、輸送される場合が多い。以下、医療用薬液袋３０が複数収められた集積包装袋のことを集積包装物という場合もある。
【特許文献１】特開２００６−２１８３３号公報
【発明の開示】
【発明が解決しようとする課題】
【０００４】
しかしながら、このように集積包装物が収容されたダンボール箱が取扱時などに箱ごと落下してしまうと、各医療用薬液袋３０はダンボール箱内で縦長に収められているために、落下の衝撃による応力は着地面となる略長方形の各医療用薬液袋３０の短辺、すなわち底部３３に集中してしまい、各医療用薬液袋３０が破袋しやすいという問題があった。
【０００５】
このような問題を解決するためには、図８に示すように、医療用薬液袋３０を集積包装袋４０にあらかじめ横長に収容する方法が考えられる。あらかじめ各医療用薬液袋３０を横長に収容しておくと、集積包装袋４０を把持部４２が上になるようにダンボール箱に入れた際、ダンボール箱内でも各医療用薬液袋３０は横長となる。よって、ダンボール箱が箱ごと落下した場合の応力は、各医療用薬液袋３０の底部３３ではなく、側部３４に加わる。医療用薬液袋３０の長辺に相当する側部３４は、短辺に相当する底部３３に比べて長いために、落下時に加わった応力は分散され緩和される。よって、このように医療用薬液袋３０を横長に収容することにより、上述のような破袋の問題は回避できると考えられる。
【０００６】
ところが、図８のように医療用薬液袋３０を集積包装袋４０に横長に収容する方法では、図７のように医療用薬液袋３０を縦長に収容する方法にくらべて、集積包装袋４０内に医療用薬液袋３０をフィット感よくタイトに収容することが難しく、そのため集積包装物の運搬時などには、各医療用薬液袋３０が集積包装袋４０内で倒れたり移動したりしやすいという問題があった。
【０００７】
すなわち、図７の場合には、集積包装袋４０の横方向の全周長さＬ’は、積み重ねられた複数の医療用薬液袋３０の横方向の胴周りの長さＬ（以下、積層時の胴回りという場合がある。）と同程度の長さになるようにあらかじめ設定されている。そのため、医療用薬液袋３０を縦長に収容した後、開口部である底部４１をある程度の余裕をもってヒートシールしたとしても、薬液に加わる重力により長さＬが集積包装物の使用時に長くなることも相俟って、医療用薬液袋３０の胴周りには余裕が生じず、タイトな状態となる。よって、集積包装物の運搬時に、医療用薬液袋３０が集積包装袋４０内で倒れたり移動したりすることはない。
ところが、医療用薬液袋３０を図８のように横長に収容する場合には、集積包装袋４０の横方向の全周長さは、複数の医療用薬液袋３０の積層時の胴周りの長さでなく、縦方向の周回長さＭに対応する。よって、収容後に、底部４１をある程度の余裕をもってヒートシールすると、周回長さＭは集積包装物の使用時にもほとんど長くなることが無いことも相俟って、その余裕のために医療用薬液袋３０の胴周りに遊びが生じてしまい、運搬時などに各医療用薬液袋３０が集積包装袋４０内で横に倒れたり移動したりしやすくなる。運搬時に各医療用薬液袋３０が集積包装袋４０内で倒れたり移動したりすると、運搬しにくいだけでなく見た目も悪く、商品価値が低下する。横長での収容時に、医療用薬液袋３０がこのように倒れたり移動したりするのを防ぐためには、医療用薬液袋３０の胴回りに遊びが生じないように、集積包装袋４０の底部４１に余裕を設けず、タイトにヒートシールすればよいと考えられる。しかしながら、その場合には、集積包装袋４０の底部４１とともに医療用薬液袋３０の側部３４を誤って挟み込み、ヒートシールしてしまうおそれがあり、ヒートシール作業性に問題が生じる。
【０００８】
さらに、図８のように医療用薬液袋３０を集積包装袋４０に横長に収容する方法は、図７のように医療用薬液袋３０を縦長に収容する方法にくらべて、包装システムを用いて医療用薬液袋３０を集積包装袋４０内へ収容する際の作業性が劣るという問題もあった。
例えば、医療用薬液袋３０を集積包装袋４０内に押し込むためのプッシャーを備えた包装システムを採用して、医療用薬液袋３０を集積包装袋４０内に押し込み、収容する際において、医療用薬液袋３０を図７のように縦長で収容する場合には、プッシャーはその底部３３を矢印方向に押して移動させることとなる。このように底部３３を押す場合には、押圧方向に沿って引いた医療用薬液袋３０の中心線に対して、医療用薬液袋３０は左右対称の形状となり、医療用薬液袋３０の重心はこの中心線上に位置することとなる。このように押圧方向に沿う中心線上に重心があると、プッシャーで医療用薬液袋３０を押して移動させる際に医療用薬液袋３０は安定し、これをスムーズに移動させて集積包装袋４０内に収容することができる。ところが、図８のように横長で収容する際には、プッシャーはその側部３４を矢印方向に押すことになり、この場合には、押圧方向に沿って引いた医療用薬液袋３０の中心線に対して、医療用薬液袋３０は左右非対称の形状となる。よって、その重心は中心線上に位置しないこととなり、医療用薬液袋３０を安定かつスムーズに移動させるのは難しく、収容作業性が低下する。
【０００９】
本発明は上記事情に鑑みてなされたもので、医療用薬液袋を横長に収容した際でも、運搬時に各医療用薬液袋が倒れたり移動したりしないように、これらをタイトに収容でき、かつ、収容作業性や収容後の開口部のヒートシール作業性も良好な集積包装袋と、これを用いた集積包装物の提供を課題とする。
【課題を解決するための手段】
【００１０】
本発明者は鋭意検討した結果、医療用薬液袋を入れるための開口部を集積包装袋の側部に形成し、この開口部から略長方形の医療用薬液袋を横長に入れると、この開口部を余裕をもってヒートシールした場合でも、医療用薬液袋をタイトに収容でき、しかも、収容作業性や収容後の開口部のヒートシール作業性も良好となることに想到して本発明を完成するに至った。
本発明の集積包装袋は、複数の略長方形の医療用薬液袋を横長に収容する収容部と、収容部の上方に形成された把持部とを有する集積包装袋であって、前記収容部の側部に、前記医療用薬液袋を入れるための開口部が形成されたことを特徴とする。
前記開口部は仮止めされていても、または封止されていてもよい。
本発明の集積包装袋は、筒状フィルムから形成され、該筒状フィルムの一端が前記開口部であり、他端が閉塞されたものが好ましい。
前記収容部の天面には、収容された前記医療用薬液袋を取り出すための開封部が形成されたことが好ましい。
本発明の集積包装袋の製造方法は、複数の略長方形の医療用薬液袋を横長に収容する収容部と、収容部の上方に形成された把持部とを有し、前記収容部の側部に、前記医療用薬液袋を入れるための開口部が形成された集積包装袋の製造方法であって、筒状フィルムの一部分を長手方向に沿って内側に折り込み、前記収容部の底面を形成する工程と、前記一部分に対向する部分を長手方向に沿って内側に折り込み、前記収容部の天面を形成する工程と、前記筒状フィルムの一端を前記開口部とし、他端を閉塞する工程と、前記収容部の上方に把持部を形成する工程とを有することを特徴とする。
本発明の集積包装物は、前記集積包装袋内に複数の略長方形の医療用薬液袋が横長に収容され、前記開口部が封止されたことを特徴とする。
本発明の集積包装袋の製造方法は、前記集積包装袋内に複数の略長方形の医療用薬液袋を横長に収容し、前記開口部を封止することを特徴とする。
【発明の効果】
【００１１】
本発明によれば、医療用薬液袋を横長に収容した際でも、運搬時に各医療用薬液袋が倒れたり移動したりしないように、これらをタイトに収容でき、かつ、収容作業性や収容後の開口部のヒートシール作業性も良好な集積包装袋と、これを用いた集積包装物を提供できる。
【発明を実施するための最良の形態】
【００１２】
以下、本発明について詳細に説明する。
図１は、本発明の集積包装袋１０の一実施形態例である。この集積包装袋１０は、樹脂フィルムから形成されたものであって、図４に示したような縦長の略長方形の医療用薬液袋３０を横長に複数収容する収容部１１を有している。収容部１１の側部１２には、医療用薬液袋３０をこの中に入れるための開口部が形成され、収容部１１の天面１３には、収容された医療用薬液袋３０を取り出すための直線状のミシン目（断続的な切れ目）からなる開封部１４が形成されている。また、この集積包装袋１０においては、収容部１１の上方に一対の帯状の樹脂テープがループ状にヒートシールされた把持部１５が形成され、集積包装袋１０内に医療用薬液袋３０が収容された集積包装物を持ち運べるようになっている。
【００１３】
このような集積包装袋１０を構成する樹脂の種類としては、ポリエチレン、ポリプロピレンなどのポリオレフィンが好適である。特にポリエチレンが好ましく、中でも、低密度ポリエチレンおよび高強度な直鎖状低密度ポリエチレンは、収容する複数の医療用薬液袋３０の総質量が大きくなる場合に好ましい。
収容部１１を構成する樹脂フィルムの厚みは、４０〜２００μｍが好ましく、より好ましくは５０〜１６０μｍである。また、把持部１５を構成する樹脂テープの厚みは、７０  〜２００μｍが好ましく、より好ましくは９０〜１８０μｍである。また樹脂テープの幅は１．５〜３．０ｃｍが好適である。なお、樹脂フィルムおよび樹脂テープの構成は、単層でも多層でもよい。
【００１４】
このような集積包装袋１０は、例えば次の方法により製造できる。
まず、図２（Ａ）に示すように、樹脂フィルムとしてインフレーション法などで製造された筒状フィルムを用意し、筒状フィルムの長手方向に沿って、直線状のミシン目を設けて開封部１４を形成する。ついで、この開封部１４の部分を筒状フィルムの内側に折り込み、収容部の天面１３を形成する。ついで、この内側に折り込まれた一部分に対向する部分を同様に長手方向に沿って内側に折り込み、収容部の底面１６を形成する。このような工程により、対向する位置に底面１６と天面１３とが形成されるとともに、底面１６と天面１３との間には一対の正面部１７ａ，１７ｂが形成される。なお、この際、天面１３の折り込み長Ｌ１は、後述する把持部形成領域を形成するため、底面１６の折り込み長Ｌ２よりも長くしておく。
その後、図２（Ｂ）に示すように、天面１３とこれに連続した一対の正面部１７ａ，１７ｂとを、これらの境界近傍において、それぞれ筒状フィルムの長手方向に沿って線状にヒートシールする。こうしてヒートシールされた線状シール部（図２（Ｂ）中斜線で示す。）１８ａ，１８ｂよりも上側の部分は、把持部形成領域１９ａ，１９ｂとされ、ここに帯状の樹脂テープをそれぞれループ状にヒートシールすることで、一対の持ち手からなる把持部１５を形成することができる。ここで形成された各把持部形成領域１９ａ，１９ｂは、フィルムが２重になっていて高強度であるため、帯状の樹脂テープをこのようにヒートシールして把持部１５を形成するのに好ましい。
把持部１５の形成後には、筒状フィルムの一端（図２（Ｂ）では図示略）をそのままの状態にしてこれを開口部とする一方で、他端２０をヒートシールして閉塞することにより、図１の集積包装袋１０を製造することができる。
なお、巻物状などとされた長尺の筒状フィルムを連続供給することにより、複数の集積包装袋１０を連続的に製造することができる。
【００１５】
こうして製造された図１の集積包装袋１０に、例えば図３のようにして、複数の略長方形の医療用薬液袋３０を横長に収容することにより、医療用薬液袋３０が複数横長に収容された図４の集積包装物２１を製造することができる。
すなわち、複数の医療用薬液袋３０を略水平方向に積み重ね（平積み）、ついで、包装システムの具備するプッシャーＰにより、これら医療用薬液袋３０の底部３３を略長方形の医療用薬液袋３０の長手方向に沿う押圧方向に押して医療用薬液袋３０を移動させ、集積包装袋１０内に押し込んで横長に収容する。収容後、集積包装袋１０の側部１２にある開口部をヒートシールして封止し、その後、必要に応じて余った部分の筒状フィルムを切除する。
【００１６】
以上説明したように、図１のような集積包装袋１０は、収容部１１の側部１２に開口部が形成された形態となっているために、収容後の集積包装物の運搬時に各医療用薬液袋３０が集積包装袋１０内で倒れたり移動したりしないように、これらをタイトに収容することができ、しかも、収容作業性や収容後の開口部のヒートシール作業性も良好である。
すなわち、このような集積包装袋１０では、収容部１１の側部１２に開口部が形成されているために、集積包装袋１０の収容部１１の縦方向の全周長さ（図３のＡ’）をあらかじめ所定の長さに固定しておくことができる。そこで、この縦方向の全周長さＡ’を、集積包装袋１０に収容する医療用薬液袋３０の積層時の胴周りの長さ（図３のＡ）と同程度の長さになるように設定しておくことによって、医療用薬液袋３０を開口部から横長に収容した後、ある程度の余裕をもって側部の開口部をヒートシールしたとしても、医療用薬液袋３０の胴周りには余裕が生じないようにすることができる。よって、医療用薬液袋３０を誤って挟み込むことなく集積包装袋３０の開口部を封止でき、ヒートシール作業性に優れるとともに、医療用薬液袋３０をタイトに収容して、各医療用薬液袋３０が倒れたり移動したりしないようにすることができる。
【００１７】
また、プッシャーＰを備えた包装システムを使用して、図３のように、収容部１１の側部１２に形成された開口部から医療用薬液袋３０を横長に収容する際には、プッシャーＰは医療用薬液袋３０の底部３３を矢印方向に押して移動させるため、押圧方向に沿って引いた医療用薬液袋３０の中心線上に医療用薬液袋３０の重心が位置することとなる。よって、医療用薬液袋３０を安定かつスムーズに移動させて集積包装袋４０内に収容でき、収容作業性にも優れる。
【００１８】
また、この例の集積包装袋１０は、把持部１５として、樹脂テープをループ状にヒートシールした持ち手状のものを備えているため、肩に掛けて持ち運ぶことも可能であり、重量物の運搬に好適である。把持部の形態には特に制限はなく、把持部形成領域１９ａ，１９ｂを打ち抜いて把持穴を形成し、ここに手を通して握持できるようにしたものでもよい。このような把持部によれば、帯状の樹脂テープを別途用意する必要がなく、筒状フィルムのみから集積包装袋を製造できる点で好ましい。ただし、医療用薬液袋３０の収容個数が多く、集積包装物とした際の厚みが大きくなるような集積包装袋に対して、このような把持部を形成すると、把持部形成領域１９ａ，１９ｂの縦方向の長さを大きく形成した上で把持穴を形成しないと、これら一対の把持穴をまとめて握持できなくなる。その場合にはフィルムの使用量が増し、コストアップにつながるため、図１のような把持部１５が好ましい。
【００１９】
また、この例の集積包装袋１０の開封部１４は、天面１３にミシン目が直線状に形成されたものであるが、ミシン目は直線状でなく矩形状でもよいし、また、ミシン目の代わりに、リードテープなどを利用してフィルムを引裂く形態の開封部であってもよい。リードテープを用いた形態では、集積包装物内の気密性が保たれるため、集積包装袋の構成材料としてガスバリア性を有する樹脂を用いることにより、真空包装や不活性ガスの封入包装が可能となり好ましい。
開封部１４が形成される面にも特に制限はないが、図１の例のように開封部１４が天面１３に形成されると、集積包装物から一部の医療用薬液袋３０を取り出した後でも、集積包装袋１０が破れやすくなったり裂けやすくなったりすることが無く、残りの医療用薬液袋３０を安定に収容しつつ持ち運ぶことができ、好ましい。
【００２０】
なお、集積包装袋１０の開口部は、その中に医療用薬液袋３０が収容される前までは、取扱性などの点から、開口可能に仮止めされていてもよいし、封止されていてもよい。このような開口部は、医療用薬液袋３０を収容する前までは閉じられているため、埃などが収容部に入らず衛生面でも好ましい。医療用薬液袋３０の収容は、仮止めを開放するか、開口部近傍を切断して開口させた後に行うことができる。
【００２１】
また、図２を示して説明した集積包装袋１０の製造方法では、開封部１４を形成してから収容部１１の天面１３と底面１６を形成したが、この順序には制限はなく、例えば、天面１３の形成後、この天面１３に開封部１４を形成してから底面１６を形成するような順序でもよい。また、上述の説明では、把持部１５を形成してから、筒状フィルムの他端２０をヒートシールして閉塞したが、この順序も逆でもよい。さらに、巻物状などとされた長尺の筒状フィルムを連続供給して、複数の集積包装袋１０を連続的に製造する際には、供給される筒状フィルムの長手方向（流れ方向）に対して垂直に筒状フィルムを所定の幅でヒートシールし、このヒートシール部の略中央部を切断することにより、１つの集積包装袋１０のヒートシールされた他端２０と、別の集積包装袋１０の封止された開口部とを同時に形成することも可能である。
さらに、材料の筒状フィルムとしては、インフレーション法などで筒状に形成されたものを使用することが好ましいが、１枚の平面状フィルムを２つ折りしたり、２枚の平面状フィルムを重ね合わせたりした後、側端部を融着することで筒状に形成されたものを使用してもよい。また、材料には必ずしも筒状フィルムを使用しなくてもよく、平面状のフィルムを複数使用して、集積包装袋を形成してもよい。平面状のフィルムを複数使用する方法によれば、これらフィルムのうちのいずれかに機能性を有するフィルムを使用することができる。すなわち、例えば、正面部や天面には、医療用薬液袋３０内の薬液の品質保持のために遮光フィルムを採用し、底面には安価な一般のフィルムを使用するなどして、必要に応じて、部位ごとに機能の異なるフィルムを用いることもできる。
【００２２】
また、図３を示して説明した集積包装物の製造方法では、医療用薬液袋３０を略水平方向に平積みし、これを包装システムの具備するプッシャーＰにより押して移動させたが、医療用薬液袋３０をその側部３４が上下になるように略鉛直方向に縦列させて、これらの底部３３をプッシャーＰにより押す方法でもよく、特に制限はない。ただし、各医療用薬液袋３０の厚みが薄い場合には、このように側部３４が上下方向になるように縦列させた際の安定性が悪いため、図３の方法で収容することが好ましい。
【図面の簡単な説明】
【００２３】
【図１】本発明の集積包装袋の一例を示す斜視図である。
【図２】図１の集積包装袋の製造方法の一例を示す斜視図である。
【図３】図１の集積包装袋内に医療用薬液袋を収容して集積包装物を製造する方法の一例を示す斜視図である。
【図４】本発明の集積包装物の一例を示す斜視図である。
【図５】医療用薬液袋の一例を示す正面図である。
【図６】図５の医療用薬液袋を従来の集積包装袋に収容した集積包装物を示す斜視図である。
【図７】図６の集積包装物の製造方法を示す斜視図である。
【図８】他の集積包装物の製造方法を示す斜視図である。
【符号の説明】
【００２４】
１０  集積包装袋
１１  収容部
１２  側部
１３  天面
１４  開封部
１５  把持部
２１  集積包装物
【図１】
2008050042.tif 000003
【図２】
2008050042.tif 000004
【図３】
2008050042.tif 000005
【図４】
2008050042.tif 000006
【図５】
2008050042.tif 000007
【図６】
2008050042.tif 000008
【図７】
2008050042.tif 000009
【図８】
2008050042.tif 000010